(57)【要約】バスケットボールのシュートトレーニング装置（１０）は、メインフレーム（１２）と、垂直及び斜めレール（２８、３０）を有する第１の垂直レール構造（１４）と、第１のスライドベース（１６）と、第１のバスケットボール模倣部材（１８）を含む。第１の垂直レール構造（１４）は、メインフレーム（１２）上に配置される。第１のスライドベース（１６）は、第１の垂直レール構造（１４）に沿ってスライドするように第１の垂直レール構造（１４）に配置される。第１のバスケットボール模倣部材（１８）は第１のスライドベース（１６）に接続される。第１のバスケットボール模倣部材が、ユーザの手によって支えられ、次いで上方に推進されるとき、第１のスライドベース（１６）は、第１の垂直レール構造（１４）に沿ったセットショットを完成させるようにユーザの手をガイドするために、垂直レール（２８）上の第１の初期位置から斜めレール（３０）上のシュート位置にスライドする。
2021518788.tif 000002
【特許請求の範囲】
【請求項１】
バスケットボールのシュートトレーニング装置であって：
保持面上に立つためのメインフレームと；
メインフレーム上に配置される第１の垂直レール構造であって、前記第１の垂直レール構造は、垂直レール及び斜めレールを有し、前記斜めレールは前記垂直レールの上端に接続される、第１の垂直レール構造と；
第１のベース部材及び第１のアーム部材を有する第１のスライドベースであって、前記第１のベース部材は、前記第１の垂直レール構造を覆うとともに前記第１の垂直レール構造に沿ってスライドするように前記第１の垂直レール構造の第１の側面にスライド可能に接触し、前記第１のアーム部材は、前記第１のベース部材の外縁から延びる、第１のスライドベースと；
前記第１のアーム部材に接続される第１のバスケットボール模倣部材であって、前記第１の垂直レール構造の前記第１の側面は、前記第１のバスケットボール模倣部材に面する、第１のバスケットボール模倣部材と；
を有し、
前記第１のバスケットボール模倣部材がユーザの手によって支えられ、次いで上方に推進されるとき、前記第１のベース部材は、前記垂直レール上の第１の初期位置から前記斜めレール上のシュート位置までスライドし、前記垂直レールに対して旋回することなく前記垂直レールに接触し続け、前記第１の垂直レール構造に沿ってセットショットを完成させるように前記ユーザの手をガイドするために、前記第１のベース部材が前記第１の垂直レール構造に沿ってスライドするときに、前記第１のバスケットボール模倣部材を前記垂直レールに沿って真っ直ぐかつ上方に移動させ、次いで、前記斜めレールに沿って真っ直ぐかつ斜めに移動させる、
バスケットボールのシュートトレーニング装置。
【請求項２】
前記メインフレームは、横フレーム部分及び前記保持面上に立つためのスタンディングフレーム部分を有し、前記横フレーム部分は、前記スタンディングフレーム部分に接続され、前記第１の垂直レール構造は、前記横フレーム部分上に配置される、
請求項１に記載のバスケットボールのシュートトレーニング装置。
【請求項３】
前記メインフレームから離間されるとともに前記スタンディングフレーム部分に接続される第２の垂直レール構造と；
前記第１のバスケットボール模倣部材が膝屈曲位置から前記第１の初期位置に上方に推進される期間中に前記第２の垂直レール構造に沿って前記膝屈曲位置から前記第１の初期位置に垂直に動くよう前記ユーザの胴体をガイドするために前記ユーザの胴体に取り付けるための前記第２の垂直レール構造にスライド可能に配置される胴体取り付け部材と；
をさらに有する、
請求項２に記載のバスケットボールのシュートトレーニング装置。
【請求項４】
前記メインフレームはさらに、前記スタンディングフレーム部分から横方向に延びるスタンディングベースを有する、
請求項２に記載のバスケットボールのシュートトレーニング装置。
【請求項５】
胴体取り付け部材と；
プーリ伝動装置と；
プーリアセンブリであって、前記プーリアセンブリの伝動により前記横フレーム部分及び前記胴体取り付け部材一緒に動かすように前記横フレーム部分及び前記胴体取り付け部材に接続される、プーリアセンブリと；
引っ張り力を提供するための前記プーリアセンブリに接続される引っ張り力印加装置と；
をさらに有する、
請求項２に記載のバスケットボールのシュートトレーニング装置。
【請求項６】
アームガイドベースが、前記第１の垂直レール構造の前記第１の側面上に配置されるとともに前記第１のスライドベースの下に位置し、前記アームガイドベースは、その上に離間された２つのガイドシートであって、それらの間に置かれた前記ユーザの前腕を前記ユーザの上腕と同じ垂直面に拘束するための、２つのガイドシートを有する、
請求項１に記載のバスケットボールのシュートトレーニング装置。
【請求項７】
前記２つのガイドシートは、前記アームガイドベース上に移動可能に配置され、前記第１の垂直レール構造は、前記ユーザの前腕を前記ユーザの上腕と同じ垂直面で整列させるために前記ユーザに対して前記２つのガイドシートの位置を調整するように、前記横フレーム部分に対して左右移動可能にかつ前後に旋回可能である、
請求項６に記載のバスケットボールのシュートトレーニング装置。
【請求項８】
前記第１のバスケットボール模倣部材は、前記ユーザの指がフォロースルー動作を完成させるように、前記第１のベース部材が前記斜めレール上の前記シュート位置にスライドするときに、前記ユーザの指が特定の角度で前記第１のバスケットボール模倣部材を回転させることを可能にするために、前記第１のアーム部材に回転可能に接続される、
請求項１に記載のバスケットボールのシュートトレーニング装置。
【請求項９】
第２のベース部材及び第２のアーム部材を有する第２のスライドベースであって、前記第２のベース部材は、前記第１の垂直レール構造に沿ってスライドするために前記第１のベース部材の反対側に前記第１の垂直レール構造の第２の側面上にスライド可能に配置され、前記第２のアーム部材は、前記第２のベース部材から延びる、第２のスライドベースと；
前記第２のアーム部材に接続される第２のバスケットボール模倣部材と；
をさらに有し、
前記第２のバスケットボール模倣部材が、前記ユーザの手によって支えられ、次に上方に推進されるとき、前記第２のベース部材は、前記第１の垂直レール構造に沿ってフックショットを完成させるように前記ユーザの手をガイドするために、前記垂直レール上の第２の初期位置から前記斜めレール上のフック位置までスライドする、
請求項１に記載のバスケットボールのシュートトレーニング装置。
【請求項１０】
前記第２のバスケットボール模倣部材は、前記ユーザの指にフォロースルー動作を完成させるように、前記第２のベース部材が前記斜めレール上の前記フック位置にスライドするときに、前記ユーザの指が特定の角度で前記第２のバスケットボール模倣部材を回転させることを可能にするために、前記第２のアーム部材に回転可能に接続される、
請求項９に記載のバスケットボールのシュートトレーニング装置。
【請求項１１】
前記第１のバスケットボール模倣部材が、前記第１のバスケットボール模倣部材の重量のために、前記斜めレール上の前記シュート位置から前記垂直レール上の前記第１の初期位置までスライドして戻るとき、前記第１のスライドベースにブレーキをかけるための前記第１のスライドベース上に配置されるブレーキ装置をさらに有する、
請求項１に記載のバスケットボールのシュートトレーニング装置。
【請求項１２】
前記第１のスライドベースは、前記第１の垂直レール構造に対して旋回され、前記ブレーキ装置は、屈曲アーム及びブレーキパッドを有し、前記屈曲アームは、前記第１のベース部材から延び、前記ブレーキパッドは、前記屈曲アームの下端に配置され、前記第１のスライドベースは、前記第１のバスケットボール模倣部材が支えられていないときに前記第１の初期位置で前記第１のスライドベースを停止させるために、前記ブレーキパッドを前記第１の垂直レール構造に接触させるように、前記第１のバスケットボール模倣部材の重量のために前記屈曲アームと協働して前記第１の垂直レール構造に対して旋回し、前記第１のスライドベースは、前記第１のバスケットボール模倣部材が前記ユーザの手によって上方に推進されるとき、前記ブレーキパッドを前記第１の垂直レール構造から分離させるように、前記屈曲アームと協働して前記第１の垂直レール構造に対して旋回する、
請求項１１に記載のバスケットボールのシュートトレーニング装置。
【請求項１３】
前記斜めレールは、前記垂直レールに対する前記斜めレールの傾斜角を調整するために、前記垂直レールの前記上端に対して旋回される、
請求項１に記載のバスケットボールのシュートトレーニング装置。
【請求項１４】
前記メインフレームは、伸縮ロッド及び前記保持面に立つための底部プレートを有し、前記伸縮ロッドは、前記第１のバスケットボール模倣部材の高さを調整するために、前記第１の垂直レール構造及び前記底部プレートに伸縮自在に接続される、
請求項１に記載のバスケットボールのシュートトレーニング装置。
【請求項１５】
前記第１のバスケットボール模倣部材に移動可能に配置される少なくとも１つの指取り付け装置をさらに有する、
請求項１に記載のバスケットボールのシュートトレーニング装置。
【請求項１６】
リニアガイドレールが前記第１のバスケットボール模倣部材に形成され、前記指取り付け装置は、前記リニアガイドレール内にスライド可能に配置されるスライドブロックを有する、
請求項１５に記載のバスケットボールのシュートトレーニング装置。
【請求項１７】
少なくとも１つのアーク形状のガイドレールが前記第１のバスケットボール模倣部材に形成され、前記指取り付け装置は、前記アーク形状のガイドレールに沿ってスライド可能である、
請求項１５に記載のバスケットボールのシュートトレーニング装置。
【請求項１８】
前記第１のバスケットボール模倣部材に移動可能に配置される手首取り付け装置をさらに有する、
請求項１に記載のバスケットボールのシュートトレーニング装置。
【請求項１９】
前記第１のスライドベースは、前記第１のアーム部材に旋回可能に接続される制限ロッドをさらに有し、前記制限ロッドは、前記第１のバスケットボール模倣部材の制限スロットを介して前記第１のバスケットボール模倣部材に貫入し、前記第１のバスケットボール模倣部材の回転を制限するように、前記第１のバスケットボール模倣部材に旋回可能に接続される、
請求項１に記載のバスケットボールのシュートトレーニング装置。
【請求項２０】
前記第１のバスケットボール模倣部材は、半球形アダプタであり、前記半球形アダプタは、トレーニング用バスケットボール模倣部材と一致するように前記第１のアーム部材に対して旋回可能に接続される、
請求項１に記載のバスケットボールのシュートトレーニング装置。
【請求項２１】
バスケットボールのシュートトレーニング装置であって：
保持面上に立つためのメインフレームと；
前記メインフレーム上に配置される第１の垂直レール構造であって、前記第１の垂直レール構造は、垂直レール及び斜めレールを有し、前記斜めレールは前記垂直レールの上端に接続される、第１の垂直レール構造と；
前記第１の垂直レール構造の第１の側面上にスライド可能に配置される第１のバスケットボール模倣部材と；
を有し、
前記第１のバスケットボール模倣部材が、ユーザの手によって支えられ、次いで上方に推進されるとき、前記第１のバスケットボール模倣部材は、前記第１の垂直レール構造に沿ってセットショットを完成させるように前記ユーザの手をガイドするために、前記垂直レール上の初期位置から前記斜めレール上のシュート位置にスライドして、前記垂直レールに沿って真っ直ぐかつ上方に移動し、次いで前記斜めレールに沿って真っ直ぐかつ斜めに移動する、
バスケットボールのシュートトレーニング装置。
【請求項２２】
前記第１の垂直レール構造は、中空レール管であり、前記第１のバスケットボール模倣部材は、前記第１の垂直レール構造に沿ってスライド可能であるように、前記第１の垂直レール構造内に移動可能に配置される、
請求項２１に記載のバスケットボールのシュートトレーニング装置。
【請求項２３】
第１のベース部材及び弾性コネクタを有する第１のスライドベースであって、前記第１のベース部材は、前記第１の垂直レール構造を覆うとともに前記第１の垂直レール構造に沿ってスライドするように前記第１の垂直レール構造の前記第１の側面にスライド可能に接触し、前記弾性コネクタは、前記第１のベース部材の外縁から延びる、第１のスライドベースと；
前記弾性コネクタを介して前記第１のベース部材に接続される手首取り付け装置と；
をさらに有する、
請求項２１に記載のバスケットボールのシュートトレーニング装置。
【発明の詳細な説明】
【技術分野】
【０００１】
［関連技術］
本開示は、2018年4月27日に出願された米国特許出願第62/663,272号の優先権利益を主張する非仮出願の一部であり、その内容は、その全体が参照により援用される。
【０００２】
本発明は、バスケットボールのシュートトレーニング装置に関し、より具体的には、垂直レール構造に沿ってセットショットを完成させるようにユーザの手をガイドする（guiding）ためのバスケットボールのシュートトレーニング装置に関する。
【背景技術】
【０００３】
一般に、適切なシュート技術はバスケットボール選手がバスケットにバスケットボールをシュートするのに役立ち得る。１つの重要な技術は、適切な手首の動きである。バスケットボール選手がバスケットボールをシュートする際には、バスケットボール選手は手首を曲げ（cock）、バスケットボールを空中からバスケットに押し込む必要がある。しかし、バスケットボールをシュート中に、バスケットボール選手が上腕と同じ垂直面に前腕（lower  arm）を正しく位置決めする（position）ことができない場合、適切な手首の動きだけでは不十分である。従って、適切な手首の動きと適切な腕の動きの両方を発達させるためにバスケットボール選手をトレーニングするための装置をどのように設計するかは、バスケットボールのシュートトレーニングにおいて重要な課題の一つである。
【発明の概要】
【０００４】
本発明は、バスケットボールのシュートトレーニング装置を提供する。バスケットボールのシュートトレーニング装置は、メインフレーム、第１の垂直レール構造、第１のスライドベース、及び第１のバスケットボール模倣部材を含む。メインフレームは、保持面上に立つために使用される。第１の垂直レール構造は、メインフレーム上に配置される。第１の垂直レール構造は、垂直レール及び斜めレールを有する。斜めレールは垂直レールの上端に接続される。第１のスライドベースは、第１のベース部材及び第１のアーム部材を有する。第１のベース部材は、第１の垂直レール構造を覆う（jackets）とともに第１の垂直レール構造に沿ってスライドするように第１の垂直レール構造の第１の側面にスライド可能に接触する。第１のアーム部材は、第１のベース部材の外縁（outer  edge）から延びる。第１のバスケットボール模倣部材は、第１のアーム部材に接続される。第１の垂直レール構造の第１の側面は、第１のバスケットボール模倣部材に面する。第１のバスケットボール模倣部材がユーザの手によって支えられ、次いで上方に推進される（propelled）とき、第１のベース部材は、垂直レール上の第１の初期位置から斜めレール上のシュート位置までスライドし、垂直レールに対して旋回する（pivoting）ことなく垂直レールに接触し続け、第１のベース部材が第１の垂直レール構造に沿ってスライドするときに、ユーザの手をガイドして第１の垂直レール構造に沿ってセットショットを完成させるように、第１のバスケットボール模倣部材を垂直レールに沿って真っ直ぐかつ上方に移動させ、次いで、斜めレールに沿ってまっすぐかつ斜めに移動させる。
【０００５】
さらに、本発明は、バスケットボールのシュートトレーニング装置を提供する。バスケットボールのシュートトレーニング装置は、メインフレーム、第１の垂直レール構造、及び第１のバスケットボール模倣部材を含む。メインフレームは、保持面上に立つために使用される。第１の垂直レール構造は、メインフレーム上に配置される。第１の垂直レール構造は、垂直レール及び斜めレールを有する。斜めレールは垂直レールの上端に接続される。第１のバスケットボール模倣部材は、第１の垂直レール構造の第１の側面上にスライド可能に配置される。第１のバスケットボール模倣部材がユーザの手で支えられ、次いで上方に推進されるとき、第１のバスケットボール模倣部材は、第１の垂直レール構造に沿ってセットショットを完成させるようにユーザの手をガイドするために、垂直レール上の初期位置から斜めレール上のシュート位置にスライドして、垂直レールに沿って真っ直ぐかつ上方に移動し、次いで斜めレールに沿って真っ直ぐかつ斜めに移動する。
【０００６】
本発明のこれら及び他の目的は、種々の図面に示されている好ましい実施形態の以下の詳細な説明を読んだ後に、当業者には明らかになるであろう。
【図面の簡単な説明】
【０００７】
【図１】本発明の一実施形態に係るバスケットボールのシュートトレーニング装置の図である。
【図２】胴体取り付け部材を装着し、第１のバスケットボール模倣部材を膝屈曲位置で支えるユーザの側面図である。
【図３】第２の垂直レール構造に沿って第１の初期位置に垂直に移動するために、ユーザの胴体をガイドする図２の胴体取り付け部材の側面図である。
【図４】斜めレール部分のシュート位置にスライドした図３の第１のベース部材の側面図である。
【図５】本発明の別の実施形態による第１のスライドベース上に配置されているブレーキ装置の側面図である。
【図６】ブレーキ装置を第１の垂直レール構造から分離させるための、第１の垂直レール構造に対して旋回する第１のスライドベースの側面図である。
【図７】本発明の別の実施形態による、第２のバスケットボール模倣部材を支えるユーザのシュートハンドの側面図である。
【図８】図７の第２のバスケットボール模倣部材を上方に推進してフックショットを完成させるユーザのシュートハンドの側面図である。
【図９】本発明の別の実施形態によるバスケットボールのシュートトレーニング装置の側面図である。
【図１０】図９のバスケットボールのシュートトレーニング装置の正面図である。
【図１１】図９の第１の垂直レール構造、第１のスライドベース、及び第１のバスケットボール模倣部材の拡大図である。
【図１２】本発明の別の実施形態による、制限ロッドを介して第１のアーム部材に接続されている第１のバスケットボール模倣部材の側面図である。
【図１３】図９の第１のバスケットボール模倣部材上に移動可能に配置されている指取り付け装置及び手首取り付け装置の図である。
【図１４】第１のバスケットボール模倣部材上に移動可能に配置されている、図１３の指取り付け装置及び手首取り付け装置の上面図である。
【図１５】本発明の別の実施形態による、第１のバスケットボール模倣部材上に移動可能に配置されている図１３の指取り付け装置の上面図である。
【図１６】本発明の別の実施形態による、アーク形状のガイドレールに沿ってスライド可能である図１３の指取り付け装置の上面図である。
【図１７】本発明の別の実施形態による、第１のアーム部材に接続されているバスケットボール模倣部材の側面図である。
【図１８】本発明の別の実施形態による、弾性コネクタに接続されている手首取り付け装置の側面図である。
【図１９】本発明の別の実施形態によるバスケットボールのシュートトレーニング装置の図である。
【発明を実施するための形態】
【０００８】
なお、本発明の一実施形態に係るバスケットボールのシュートトレーニング装置１０の図である図１を参照されたい。図１に示すように、バスケットボールのシュートトレーニング装置１０は、メインフレーム１２と、第１の垂直レール構造１４と、第１のスライドベース１６と、第１のバスケットボール模倣部材１８と、第２の垂直レール構造２０と、胴体取り付け部材２２とを含む。メインフレーム１２は、スタンディングフレーム部分２４と、横（transverse）フレーム部分２６とを有する。横フレーム部分２６は、スタンディングフレーム部分２４に接続され、スタンディングフレーム部分２４は、バスケットボールのシュートトレーニング装置１０が、ユーザ（例えばバスケットボールプレーヤ）が便利に操作するために、保持面上に安定して配置されることができるように、保持面（例えば、接地平面）上に立つために使用される。第１の垂直レール構造１４は、横フレーム部分２６上に配置され、垂直レール２８と垂直レール２８の上端Ｐに接続された斜めレール３０とを有する。この実施形態では、斜めレール３０は、好ましくは、垂直レール２８の上端Ｐに対して旋回され（例えば、ヒンジによって、しかしそれに限定されない）、その結果、ユーザは、垂直レール２８に対する斜めレール３０の斜角を調整することによって、そのシュート角度を適切に調整することができる。
【０００９】
第１のスライドベース１６は、第１のベース部材３２及び第１のアーム部材３４を有する。第１のベース部材３２は、第１の垂直レール構造１４に沿ってスライドするために、第１の垂直レール構造１４の第１の側面Ｓ１上にスライド可能に配置される。第１のアーム部材３４は、第１のベース部材３２から延びる。第１のバスケットボール模倣部材１８は、ユーザがシュート動作を実行するためにそのシュートする手によって第１のバスケットボール模倣部材１８を支えるために、第１のアーム部材３４に接続されている。実際の適用では、第１のバスケットボール模倣部材１８の重量は、筋肉トレーニング目的を達成するために、第１のバスケットボール模倣部材１８に詰め物（fillers）（例えば、水又は砂）を加えることによって増加させることができる。
【００１０】
さらに、第２の垂直レール構造２０は、メインフレーム１２から離間され、スタンディングフレーム部分２４に接続される。胴体取り付け部材２２は、ユーザがシュート動作を行うときのユーザの姿勢安定性を改善するために、第２の垂直レール構造２０に沿って垂直に動くようユーザの胴体をガイドするように、ユーザの胴体に取り付けるために第２の垂直レール構造２０にスライド可能に配置される。この実施形態では、胴部取り付け部材２２は、着用可能な装置（例えば、着用可能なベスト）であってもよいが、これに限定されない。すなわち、別の実施形態では、本発明は、ユーザの胴体に取り付けることができる他の取り付け装置（例えば、ラップショルダーハーネス）を採用することができる。なお、バスケットボールのシュートトレーニング装置１０の機械的設計を簡略化するために、第２の垂直レール構造２０及び胴部取り付け部材２２は省略可能な構成要素とすることができる。
【００１１】
さらに、図１に示すように、シュートする手によって第１のバスケットボール模倣部材１８を支え、次に第１のバスケットボール模倣部材１８を上方に推進させながら、ユーザが、前腕を上腕と同じ垂直面に適切に位置決めできることを確実にするために、バスケットボールのシュートトレーニング装置１０は、アームガイドベース３６をさらに含むことができる。アームガイドベース３６は、第１の垂直レール構造１４の第１の側面Ｓ１に配置され、第１のスライドベース１６の下に位置する。アームガイドベース３６は、２つのガイドシート３８であって、それらの間に置かれたユーザの前腕をユーザの上腕と同じ垂直面に拘束するために、その上に離間された２つのガイドシート３８を有する。実際の適用では、ユーザが、同じ垂直面でユーザの前腕をユーザの上腕と整列させるように、ユーザに対する２つのガイドシート３８の位置を都合よく調整することができるように、２つのガイドシート３８をアームガイドベース３６上に移動可能に配置することができ、第１の垂直レール構造１４を横フレーム部分２６に対して左右移動可能にかつ前後に旋回可能にすることができる。２つのガイドシート３８をアームガイドベース３６上に移動可能に配置するとともに第１の垂直レール構造１４を横フレーム部分２６に移動可能かつ旋回可能に配置するための機械的設計の関連する説明については、従来技術では一般的に見られ、ここでは省略する。さらに、別の実施形態では、垂直レール２８は、ユーザが第１の垂直レール構造１４に沿ったセットショットをよりスムーズに完成するのを助けるために、図１に示すような直線レールの代わりにアーク形状のレールであってもよい。
【００１２】
バスケットボールのシュートトレーニング装置１０の動作に関するより詳細な説明が、以下のように提供される。図２、図３、及び図４を参照されたい。図２は、胴体取り付け部材２２を装着し、第１のバスケットボール模倣部材１８を膝屈曲位置で支えるユーザの側面図である。図３は、第２の垂直レール構造２０に沿って第１の初期位置に垂直に移動するために、ユーザの胴体をガイドする図２の胴体取り付け部材２２の側面図である。図４は、斜めレール３０上のシュート位置にスライドしている図３の第１のベース部材３２の側面図である。ユーザが胴体取り付け部材２２を装着した後、ユーザは、前腕４０を２つのガイドシート３８の間に置き、第１のバスケットボール模倣部材１８をシュートする手４２によって支え、次に、ユーザの前腕４０を同じ垂直面（すなわち、図２に示すＸＺ平面）でユーザの上腕４４と位置合わせするために、適切に第１の垂直レール構造１４を左右に動かすとともに第１の垂直レール構造１４を前後に旋回させることにより、ユーザに対する２つのガイドシート３８の位置を調整することができる。その後、ユーザは、バスケットボールのシュートのための図２に示すような膝屈曲位置で準備完了（ready  action）動作を実行するために膝を曲げることができる。続いて、胴体取り付け部材２２は、ユーザが膝を伸ばしたときに、図２に示す膝屈曲位置から第２の垂直レール構造２０に沿って図３に示すように第１の初期位置まで垂直に動くようにユーザの胴体をガイドし、次に、ユーザは、第１のバスケットボール模倣部材１８をシュートする手４２によって上方に推進させて、第１のベース部材３２を、垂直レール２８上の図３に示す第１の初期位置から斜めレール３０上の図４に示すシュート位置までスライドさせることができる。
【００１３】
なお、本実施形態では、ユーザの指がフォロースルー動作を完成させることができるように、第１のベース部材３２が斜めレール３０上の図４に示すシュート位置にスライドするときに、ユーザの指が特定の角度（例えば、３０°であるが、これに限定されない）で反時計回りに第１のバスケットボール模倣部材１８を回転させることを可能にするために、第１のバスケットボール模倣部材１８は第１のアーム部材３４に（例えば、第１のバスケットボール模倣部材１８を第１のアーム部材３４にねじりばねで接続することによって）回転可能に接続されることができる。
【００１４】
このようにして、バスケットボールのシュートトレーニング装置１０は、ユーザのシュートする手４２をガイドして、前腕４０が上腕４４と同じ垂直面に位置決めされる場合に、第１の垂直レール構造１４に沿ったセットショットを完成させることができるので、バスケットボールのシュートトレーニング装置１０は、バスケットボールをバスケットにうまくシュートするための適切な手首の動きと適切なアームの動きの両方を発達させるようにユーザをトレーニングし、ユーザが前述のバスケットボールのシュートトレーニングプロセスを繰り返し実行するときに、動きの規制目的を達成することができる。
【００１５】
さらに、第１のベース部材３２は、第１のバスケットボール模倣部材１８がユーザのシュートする手４２によって支持されていない間に、第１のバスケットボール模倣部材１８の重量のために、斜めレール３０上のシュート位置から垂直レール２８上の第１の初期位置までスライドして戻ることができるので、本発明は、第１のバスケットボール模倣部材１８が速く落下してユーザに誤ってダメージを与えるのを効率的に防止するために、第１のベース部材３２を第１の初期位置で停止させるブレーキ設計をさらに採用することができる。すなわち、バスケットボールのシュートトレーニング装置１０は、第１のベース部材３２が斜めレール３０上のシュート位置から垂直レール２８上の第１の初期位置までスライドするして戻るときに、第１のスライドベース１６にブレーキをかけるための第１のスライドベース１６上に配置されるブレーキ装置４６をさらに含むことができる。
【００１６】
例えば、図５及び図６を参照されたい。図５は、本発明の別の実施形態による第１のスライドベース１６上に配置されたブレーキ装置４６の側面図である。図６は、ブレーキ装置４６を第１の垂直レール構造１４から分離させるために、第１の垂直レール構造１４に対して旋回している第１のスライドベース１６の側面図である。なお、本実施形態及び前述した実施形態の両方に記載した構成要素は、類似の構造又は機能を有する構成要素であり、ここでは、関連する説明を省略する。
【００１７】
図５及び図６に示すように、この実施形態では、第１のスライドベース１６は、第１の垂直レール構造１４に対して旋回することができ、ブレーキ装置４６は、屈曲アーム４８及びブレーキパッド５０を含むことができる。屈曲アーム４８は、第１のベース部材３２から延びる。ブレーキパッド５０は、屈曲アーム４８の下端に配置される。従って、図５に示すように、第１のスライドベース１６は、第１のバスケットボール模倣部材１８が支えられていないときに第１の初期位置で第１のスライドベース１６を停止させるために、ブレーキパッド５０を第１の垂直レール構造１４に接触させるように、第１のバスケットボール模倣部材１８の重量のために屈曲アーム４８と協働して第１の垂直レール構造１４に対して旋回することができる。他方、図６に示すように、第１のバスケットボール模倣部材１８がユーザのシュートする手４２によって上方に推進されるとき、第１のスライドベース１６は、屈曲アーム４８と協働して第１の垂直レール構造１４に対して旋回し、ブレーキパッド５０を第１の垂直レール構造１４から分離させるので、ユーザは第１のバスケットボール模倣部材１８を上方に推進し続けることができる。前述のブレーキ設計により、バスケットボールのシュートトレーニング装置１０の作動安全性を大幅に向上させることができる。
【００１８】
バスケットボールのシュートトレーニング装置１０は、フックショットトレーニング機能をさらに有することができることに留意されたい。図７及び図８を参照されたい。図７は、本発明の別の実施形態による、第２のバスケットボール模倣部材５２を支えるユーザのシュートする手４２の側面図である。図８は、図７の第２のバスケットボール模倣部材５２を上方に推進してフックショットを完成させるユーザのシュートする手４２の側面図である。なお、本実施形態及び前述した実施形態の両方に記載した構成要素は、類似の構造又は機能を有する構成要素であり、ここでは、関連する説明を省略する。
【００１９】
図７及び図８に示すように、この実施形態では、バスケットボールのシュートトレーニング装置１０は、さらに、第２のバスケットボール模倣部材５２及び第２のスライドベース５４を含むことができる。第２のスライドベース５４は、第２のベース部材５６及び第２のアーム部材５８を有する。第２のベース部材５６は、第１の垂直レール構造１４に沿ってスライドするために、第１のベース部材３２の反対側に第１の垂直レール構造１４の第２の側面Ｓ２上にスライド可能に配置される。第２のアーム部材５８は、第２のベース部材５６から延びる。第２のバスケットボール模倣部材５２は、ユーザが、フック動作を実行するために、第２のバスケットボール模倣部材５２をシュートする手で支えることができるように、第２のアーム部材５８に接続することができる。実際の適用では、第２のバスケットボール模倣部材５２の重量は、筋肉トレーニング目的を達成するために、第２のバスケットボール模倣部材５２に詰め物（例えば、水又は砂）を加えることによって増加させることができる。
【００２０】
さらに、この実施形態では、第２のバスケットボール模倣部材５２は、ユーザの指にフォロースルー動作を完成させるために、第２のベース部材５６が斜めレール３０上の図８に示すフック位置にスライドするときに、ユーザの指が特定の角度（例えば、３０°ではあるが、これに限定されない）で第２のバスケットボール模倣部材５２を回転させることを可能にするために、（第２のバスケットボール模倣部材５２を第２のアーム部材５８にねじりばねで接続することによって）第２のアーム部材５８に回転可能に接続することができる。
【００２１】
なお、上述のアーム位置決め設計は、ユーザのシュートする手で第２のバスケットボール模倣部材５２を支え、次にそれを上方に推進する間に、ユーザの前腕をユーザの上腕と同じ垂直面で位置決めするために、この実施形態にも適用することができる。関連する説明は、前述の実施形態による類推により考えられることができ、本明細書では省略する。
【００２２】
このようにして、ユーザは、そのシュートする手４２によって第２のバスケットボール模倣部材５２を支え、次に、そのシュートする手４２によって上方に推進し、第１の垂直レール構造１４に沿ってフックショットを完成させるように、第２のベース部材５８を、垂直レール２８上の図７に示す第２の初期位置から斜めレール３０上の図８に示すフック位置までスライドさせることができる。従って、バスケットボールのシュートトレーニング装置１０は、バスケットにバスケットボールをうまく引っ掛ける（hooking）ための適切な手首動作と適切な腕動作の両方を発達させるようにユーザをトレーニングし、ユーザが前述のバスケットボールフッキングトレーニングプロセスを繰り返すときに
動きの規制目的を達成することができる。
【００２３】
さらに、図９〜１１を参照されたい。図９は、本発明の別の実施形態によるバスケットボールのシュートトレーニング装置１００の側面図である。図１０は、図９のバスケットボールのシュートトレーニング装置１００の正面図である。図１１は、図９の第１の垂直レール構造１４、第１のスライドベース１６、及び第１のバスケットボール模倣部材１８の拡大図である。なお、本実施形態で説明した構成要素及び前述の構成要素は、類似の構造又は機能を有する構成要素を表すものであり、本明細書では、関連する説明は省略する。
【００２４】
図９〜１１に示すように、バスケットボールのシュートトレーニング装置１００は、メインフレーム１２、第１の垂直レール構造１４、第１のスライドベース１６、第１のバスケットボール模倣部材１８、胴体取り付け部材１０２、及びプーリ伝動装置１０４を含む。メインフレーム１２は、スタンディングフレーム部分２４と、横フレーム部分２６とを有する。横フレーム部分２６は、第１のバスケットボール模倣部材１８を所望の高さに調整するために、スタンディングフレーム部分２４に沿って上下にスライド可能である（例えば、第１のバスケットボール模倣部材１８は、ユーザの額又は鼻と整列するように調整されることができる）。メインフレーム１２はさらに、スタンディングベース２５を有することができる。スタンディングベース２５は、ユーザがその上に立ってバスケットボールのシュートトレーニング装置１００の関連トレーニング動作を実行することを可能にするために、スタンディングフレーム部分２４から横方向に延びる。第１の垂直レール構造１４は、横フレーム部分２６上に配置され、垂直レール２８と、垂直レール２８に接続された斜めレール３０とを有する。この実施形態では、斜めレール３０は、好ましくは、垂直レール２８に対する斜めレール３０の傾斜角（好ましくは１０°〜３０°）を調整することによってユーザがそのシュート角度を適切に調整できるように、垂直レール２８に（例えば、ヒンジによってだが、これに限定されない）旋回可能に接続される。さらに、第１の垂直レール構造１４は、横フレーム部分２６に対する第１の垂直レール構造１４の傾斜角度（好ましくは４５°〜９０°）を調整することによって、ユーザが好都合にシュート角度を調整できるように、（図１１に示すように）横フレーム部分２６に対して前方に旋回可能であることができる。
【００２５】
なお、本実施形態では、第１のスライドベース１６は、本発明により提供されるバスケットボールのシュートトレーニング装置１００の構造設計を簡略化するための省略可能な構成要素である。例えば、別の実施形態では、第１の垂直レール構造は、中空レール管であり得、第１のバスケットボール模倣部材は、第１のバスケットボール模倣部材を第１のスライドベースを伴わずに第１の垂直レール構造に沿ってスライドさせるように、第１の垂直レール構造内に移動可能に配置され得る。
【００２６】
角度制限設計は、第１のバスケットボール模倣部材１８及び第１のアーム部材３４にさらに適用され得ることが言及されるべきである。例えば、図１２に示すように、第１のスライドベース１６は、第１のアーム部材３４に旋回可能に接続される制限（limiting）ロッド１７をさらに有することができる。制限ロッド１７は、第１のバスケットボール模倣部材１８の制限スロット１９を介して第１のバスケットボール模倣部材１８に貫入し、ユーザが第１のバスケットボール模倣部材１８を手から滑り落とすのを効率的に防止するために第１のバスケットボール模倣部材１８の回転を適当な角度範囲（好ましくは３０°〜６０°）で制限するように、第１のバスケットボール模倣部材１８に旋回可能に接続される。
【００２７】
実際の適用では、ユーザが第１のバスケットボール模倣部材１８に正しい位置で確実に指を置くことができることを確実にするために、第１のバスケットボール模倣部材１８に取り付け（attachment）設計をさらに適用することができる。図１３〜１４に示すように、バスケットボールのシュートトレーニング装置１００は、少なくとも１つの指取り付け装置１０６（好ましくは、図１４に示す３つの面ファスナーストラップ、ただし、これらに限定されない）と、手首取り付け装置１０８（好ましくは、図１３に示すリストバンド、ただし、これに限定されない）とをさらに含むことができる。指取り付け装置１０６及び手首取り付け装置１０８は、第１のバスケットボール模倣部材１８上に移動可能に配置される。例えば、図１３及び図１４に示すように、指取り付け装置１０６を、スライドブロック１０７を介してリニアガイドレール１１０に沿ってスライド可能にするように、第１のバスケットボール模倣部材１８は、その上に形成されたリニアガイドレール１１０を有することができ、指取り付け装置１０６は、リニアガイドレール１１０内にスライド可能に配置されるスライドブロック１０７を有することができる。このようにして、ユーザは、指取り付け装置１０６に指（例えば、人差し指、中指、薬指）をそれぞれ取り付け、手首を手首取り付け装置１０８に取り付け、ユーザが第１のバスケットボール模倣部材１８をシュートする手で持ち上げる間に指を所望の角度に広げるのを助けるために、指取り付け装置１０６及び手首取り付け装置１０８を正しい位置に調整することができる。
【００２８】
注目すべきことに、図１５に示すように、本発明は、さらに、ユーザが第１のバスケットボール模倣部材１８に指を正しい位置により確実に置くことができることを確実にするように、ユーザの人差し指、中指、及び薬指を第１のバスケットボール模倣部材１８にそれぞれ取り付けるために、２つの指取り付け装置１０６を利用することができる。さらに、図１６に示すように、別の実施形態では、１本の指に対するそれぞれの２つの指取り付け装置１０６は、指取り付けのための調整をより柔軟かつ便利にするように、２つのアーク形状のガイドレール１１２に沿ってスライド可能であることができる。
【００２９】
さらに、図９に示すように、胴体取り付け部材１０２は、プーリ伝動装置１０４に接続されるとともに、ユーザがシュート動作を行う際のユーザの姿勢安定性を改善するために、垂直に動くようにユーザの胴体をガイドするためにユーザの胴体に取り付けられている。この実施形態では、胴体取り付け部材１０２は、ユーザの胴体に取り付けることができる着用可能なベルト装置（例えば、図９に示すようなラップショルダーハーネス）であることができる。さらに、図９〜１０に示すように、プーリ伝動装置１０４は、スタンディングフレーム部分２４上に配置され、プーリアセンブリ１１４と、引っ張り力印加装置１１６（好ましくは、図９に示す７つの引っ張りばね１１７からなるが、これに限定されず、本発明が、プーリアセンブリ１１４を複数のウェイトプレートに接続するなど、引っ張り力を提供するための他の設計を採用することができることを意味する）とを含む。プーリアセンブリ１１４は、横フレーム部分２６及び胴取り付け部材１０２をプーリアセンブリ１１４の伝達により互いに移動させるように、横フレーム部分２６及び胴取り付け部材１０２にそれぞれ接続される。プーリアセンブリ１１４のプーリ伝動設計に関して、関連する説明は、従来技術において一般的に見られ、本明細書では省略する。
【００３０】
ユーザが胴体取り付け部材１０２を着用した後、ユーザは、第１のバスケットボール模倣部材１８をシュートする手で支えることができる。その後、ユーザは膝を曲げてバスケットボールをシュートするための準備完了動作を行うことができた。続いて、胴体取り付け部材１０２は、ユーザが膝を伸ばしたときに、垂直に動くようにユーザの胴体をガイドすることができ（このプロセスの間に、引っ張り力印加装置１１６の張力は、胴体及び足の筋肉のトレーニング目的を達成するために増大させることができる）、次に、ユーザは、第１のバスケットボール模倣部材１８をユーザのシュートする手によって上方に押し上げて、セットショットを完成させるために第１のベース部材３２を垂直レール２８から斜めレール３０にスライドさせることができる。
【００３１】
実際の適用では、図９〜１０に示すように、本発明は、さらに、第１のバスケットボール模倣部材１８を独立して所望の高さに調整する（例えば、第１のバスケットボール模倣部材１８は、ユーザの額又は鼻と位置合わせするように調整することができる）ために横フレーム部分２６をスタンディングフレーム部分２４に沿って上下にスライドして駆動するように、プーリアセンブリ１１４の鋼製ケーブル長さを調整するためにプーリアセンブリ１１４に接続されることになる車輪ハンドル装置１１８を利用することができる。
【００３２】
さらに、本発明は、他のバスケットボール模倣設計を採用することができる。例えば、本発明の別の実施形態による第１のアーム部材３４に接続された第１のバスケットボール模倣部材１８’の側面図である図１７を参照されたい。図１７に示すように、第１のバスケットボール模倣部材１８’は好ましくは、（好ましくは、第１のアーム部材３４に対して半球形アダプタを水平方向に回転可能にするために回転ベアリング３５によって）第１のアーム部材３４に旋回可能に接続された半球形アダプタであることができる。このように、ユーザは、シュートする手１１を正しいシュート位置に正確に移動させるようにユーザをガイドするために、半球形アダプタと整合するようにユーザのシュートする手１１によって、トレーニング用バスケットボール模倣部材（例えば、図１５に示すような第１のバスケットボール模倣部材１８）を持ち上げることができる。
【００３３】
さらに、弾性コネクタ１２０（例えば、バネ又はゴム棒）に接続されている手首取り付け装置１０８の側面図である図１８に示すように、手首取り付け装置１０８（好ましくは、手首バンドであるが、これに限定されない）は、ユーザが手首を手首取り付け装置１０８に取り付け、次に、シュートする手によって第１のバスケットボール模倣部材１８を持ち上げる間に、バスケットボールをバスケットにシュートするための適切な手首動作及び適切なアーム動作を発達させるようにユーザをトレーニングするために、弾性コネクタ１２０を介して第１のベース部材３２に接続される。
【００３４】
なお、メインフレーム設計は、メインフレームの構造設計を簡略化するために、前述の実施形態に限定されない。例えば、本発明の別の実施形態によるバスケットボールのシュートトレーニング装置２００の図である図１９を参照されたい。この実施形態及び前述の実施形態で言及された構成要素は、類似の構造又は機能を有する構成要素を表しており、ここでは関連する説明は省略する。図１９に示すように、バスケットボールのシュートトレーニング装置２００は、メインフレーム２０２と、第１の垂直レール構造１４と、第１のスライドベース１６と、第１のバスケットボール模倣部材１８とを含む。この実施形態では、メインフレーム２０２は、底部プレート２０４と伸縮（telescopic）ロッド２０６とを含む。底部プレート２０４は、ユーザ（例えばバスケットボールプレーヤ）が好都合に操作するためにバスケットボールのシュートトレーニング装置２００が保持面上に安定して配置されることができるように、保持面（例えば接地面）上に立つために使用される。伸縮ロッド２０６は、第１のバスケットボール模倣部材１８を所望の高さに調整するために、第１の垂直レール構造１４及び底部プレート２０４に伸縮自在に接続されている（例えば、第１のバスケットボール模倣部材１８は、ユーザの額又は鼻と位置合わせするように調整することができる）。さらに、この実施形態では、本発明は、さらに、第１の垂直レール構造１４及び伸縮ロッド２０６に接続される車輪ハンドル装置２０８を利用することができる。このようにして、ユーザは、第１のバスケットボール模倣部材１８を便利に自分の体型に従って適切な位置に調整するために、メインフレーム２０２に対して前後に移動するように第１の垂直レール構造１４を駆動するために、車輪ハンドル装置２０８を回転させることができる。伸縮ロッド２０６の伸縮構造設計及び車輪ハンドル装置２０８の駆動機械設計についての関連する説明については、従来技術でにおいて一般的に理解されており、本明細書では省略する。
【００３５】
当業者は、本発明の教示を保持しつつ、装置及び方法の多くの修正及び変更を行うことができることを容易に理解するであろう。従って、上記の開示は、添付の特許請求の範囲の範囲によってのみ限定されると解釈されるべきである。
【図１】
2021518788.tif 000003
【図２】
2021518788.tif 000004
【図３】
2021518788.tif 000005
【図４】
2021518788.tif 000006
【図５】
2021518788.tif 000007
【図６】
2021518788.tif 000008
【図７】
2021518788.tif 000009
【図８】
2021518788.tif 000010
【図９】
2021518788.tif 000011
【図１０】
2021518788.tif 000012
【図１１】
2021518788.tif 000013
【図１２】
2021518788.tif 000014
【図１３】
2021518788.tif 000015
【図１４】
2021518788.tif 000016
【図１５】
2021518788.tif 000017
【図１６】
2021518788.tif 000018
【図１７】
2021518788.tif 000019
【図１８】
2021518788.tif 000020
【図１９】
2021518788.tif 000021
【国際調査報告】
2021518788.tif 000022
2021518788.tif 000023
2021518788.tif 000024